(57)【要約】【課題】空気清浄機能を備えたシーリングファンである。【解決手段】天井に吊り下げられるモータ部３と、モータ部３によって回転し、下方へ送風する複数の羽根４と、モータ部３より上方に設けられた空気清浄ユニット６とを備え、空気清浄ユニット６は、埃を捕集する空気濾過部１０と、空気濾過部１０に空気を送風する送風部１１とを有した構成にしたことにより、空気清浄機能を備え、埃を除去した空気を送風するシーリングファンを得られる。【選択図】図１
2019132179.tif 000002
【特許請求の範囲】
【請求項１】
天井に吊り下げられるモータ部と、
前記モータ部によって回転し、下方へ送風する複数の羽根と、
前記モータ部より上方に設けられた空気清浄ユニットとを備え、
前記空気清浄ユニットは、埃を捕集する空気濾過部と、
前記空気濾過部に空気を送風する送風部とを有したシーリングファン。
【請求項２】
前記送風部は、前記空気濾過部の上面から下面方向へ送風することを特徴とする請求項１記載のシーリングファン。
【請求項３】
前記送風部は、前記空気濾過部の下方に設けられたことを特徴とする請求項２記載のシーリングファン。
【請求項４】
前記送風部と前記空気濾過部は、前記モータ部の上方に設けられたことを特徴とする請求項３に記載のシーリングファン。
【請求項５】
前記送風部は、空気を送風するファン部分を有し、前記ファン部分は前記モータ部によって回転することを特徴とする請求項１から４のいずれかに記載のシーリングファン。
【請求項６】
前記ファン部分の回転数は、前記羽根の回転数より大きいことを特徴とする請求項５に記載のシーリングファン。
【請求項７】
前記ファンの回転速度を変化させる変速機を設けたことを特徴とする請求項６記載のシーリングファン。
【発明の詳細な説明】
【技術分野】
【０００１】
本発明は、空気清浄機能を備えたシーリングファンに関するものである。
【背景技術】
【０００２】
従来、この種のシーリングファンの構成は、以下のようになっていた。
【０００３】
すなわち、天井に固定される連結金具と、この連結金具に吊下手段を介して吊下げられるシーリングファン本体とからなる構成となっていた。例えば、これに類似する先行文献は下記特許文献１に記載されている。
【先行技術文献】
【特許文献】
【０００４】
【特許文献１】特開平３−２９４６９６号公報
【発明の概要】
【発明が解決しようとする課題】
【０００５】
このような従来のシーリングファンにおいては、送風のみの効果しか得られなかった。そこで本発明は、従来の機能を保ちつつ埃を除去した空気をシーリングファンによって提供することを目的とする。
【課題を解決するための手段】
【０００６】
そして、この目的を達成するために、本発明の一態様に係る加湿装置は、天井に吊り下げられるモータ部と、前記モータ部によって回転し、下方へ送風する複数の羽根と、前記モータ部より上方に設けられた空気清浄ユニットとを備え、前記空気清浄ユニットは、埃を捕集する空気濾過部と、前記空気濾過部に空気を送風する送風部とを有した構成としたものである。
【発明の効果】
【０００７】
空気清浄機能を備えたシーリングファンを得ることができる。
【図面の簡単な説明】
【０００８】
【図１】本発明の実施の形態１のシーリングファンの外観を示す斜視図
【図２】同シーリングファンの断面図
【図３】同シーリングファンの連動機構を示す図
【発明を実施するための形態】
【０００９】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。
【００１０】
（実施の形態１）
図１は、シーリングファンの外観を示す斜視図である。図２は、シーリングファンの断面図である。図３は、シーリングファンの連動機構を示す図である。
【００１１】
図１、図２、図３に示すように、シーリングファン１は、連結部２と、モータ部３と、羽根４と、制御部ユニット５と、空気清浄ユニット６と、連動機構７とを備えている。
【００１２】
連結部２は、一端を天井から吊り下げられ、他端にモータ部３が接続されている。連結部２は、中空円筒形の棒状であり、内部にはモータ部３に電力を供給する電力線（図示せず）や、モータ部３を制御するための信号を送受信する制御線（図示せず）等が挿入されている。
【００１３】
モータ部３は、連結部２によって吊り下げられ、連結部２内の電力線から電力を供給されることで、モータ部３のロータ３ａが回転駆動する。モータ部３の下方には、制御部ユニット５を備えている。
【００１４】
羽根４は、モータ部３のロータ３ａに接続され、ロータ３ａの回転によって回転することで連結部２の軸方向、言い換えると鉛直下方に向けて送風する。羽根４は、取付け時、送風に適した角度に傾斜するように傾斜形状を有している。具体的には、本発明のシーリングファン１の回転方向は下方から見て反時計回りであるため、羽根４は、羽根４の短手方向において、回転方向に対して前方側の端縁よりも後方側の端縁が低くなる傾斜形状となっている。
【００１５】
制御部ユニット５は、モータ部３の下方に固定され、制御基板部８と、制御カバー９とを備えている。制御基板部８は、電気的にモータ部３と接続され、モータ部３を制御する。制御カバー９は、制御基板部８を覆っている。
【００１６】
空気清浄ユニット６は、モータ部３の上方に設けられ、空気濾過部１０と、送風部１１とを備えている。送風部１１によって、空気が空気濾過部１０へ送風される。
【００１７】
空気濾過部１０は、濾材１２と、ケース１３とを備えている。蛇腹状の濾材１２が、円環状に配置され、ケース１３によって支持されている。ケース１３は、モータ部３の上方の連結部２に固定されている。ケース１３は、上面と下面には、開口を備えており、上面の開口から入った空気は、濾材１２を介して、下面の開口から出る。
【００１８】
送風部１１は、空気濾過部１０とモータ部３との間に配置されている。送風部１１は、空気濾過部１０の上面から下面方向へ送風する。送風部１１は、ケーシング１４と、ファン１５とを備えている。
【００１９】
ケーシング１４は、中心軸が上下方向に延びた円筒形状であり、ケーシング１４の中心軸は、連結部２の中心軸と同一上に配置されている。ケーシング１４は、空気濾過部１０のケース１３の下部に固定されている。ケーシング１４内の連結部２には、ファン１５が回転自在に設けられている。ファン１５の回転軸は、連結部２の中心軸と同一上に配置されている。
【００２０】
ファン１５は軸流ファンであり、ファン１５の一例はターボファンである。ファン１５が回転すると、空気がケーシング１４内を上部から下部方向へ流れる。ファン１５は、連動機構７によって回転する。
【００２１】
連動機構７は、モータ部３の回転をファン１５に伝え、ファン１５を回転させる。連動機構７は、送風部１１の下方に配置され、回転体１６と、連動軸１７と、ギア１８とを備えている。
【００２２】
回転体１６は、モータ部３のロータ３ａに固定され、回転体１６の回転軸がファン１５の回転軸と同一上に配置されている。回転体１６は、ロータ３ａの回転をギア１８へ伝え、ギア１８を回転させる。回転体１６は、連結棒１９と、筒体２０とを備えている。
【００２３】
連結棒１９は、棒形状であり、ロータ３ａから上方へ延びている。連結棒１９は、複数配置されている。連結棒１９の上端には、筒体２０が固定されている。筒体２０と空気清浄ユニット６との間には、隙間を設けている。
【００２４】
筒体２０は、円筒形状であり、筒体２０の回転軸がファン１５の回転軸と同一上に配置され、内面には、内歯車のように多数の歯２０ａを備えている。これらの歯１６ａに接し、回転自在に配置されたのが、ギア１８である。
【００２５】
連動軸１７は、円筒形状であり、連動軸１７の回転軸が、ファン１５の回転軸と同一上に配置されるように、ファン１５の下部に固定されている。筒体２０内から連動軸１７の上部が突出し、連動軸１７の上端部は、ファン１５に固定され、連動軸１７が回転するとファン１５も回転する。連動軸１７は、外周面に多数の歯１７ａを備えている。これらの歯１７ａに接し、回転自在に配置されたのが、ギア１８である。
【００２６】
ギア１８は、多数の歯１８ａを備えた平歯車である。ギア１８は、回転体１６における筒体２０の内面に配置された多数の歯１６ａと、連動軸１７の外周面に配置された多数の歯１７ａとの間に回転自在に配置されている。ギア１８は、筒体２０の回転を連動軸１７へ伝え、連動軸１７とファン１５を回転させる。
【００２７】
上記構成において、モータ部３のロータ３ａが回転すると、ロータ３ａに接続された羽根４と、ロータ３ａから上方へ延びた連結棒１９とが回転する。羽根４が回転すると、羽根４によって空気が下方へ送風される。また、連結棒１９が回転すると、連結棒１９に固定された筒体２０が回転する。筒体２０が回転すると、筒体２０内の多数の歯２０ａと、ギア１８の多数の歯１８ａとを介してギア１８が回転する。ギア１８が回転すると、ギア１８の多数の１８ａ歯を介して、連動軸１７が回転する。ファン１５の下部に固定されている連動軸１７が回転すると、ファン１５が回転する。このように、モータ部３のロータ３ａが回転すると、羽根４だけでなく、ファン１５も回転するので、ファン１５を回転させる為に、新たなモータを搭載する必要がない。
【００２８】
また、ファン１５が回転すると、空気は、空気濾過部１０、ファン１５、筒体２０の内部を順次介して、羽根４の上方に送風される。羽根４の上方に送風された空気は、羽根４によって下方へ送風される。（図２の矢印参照）これにより、空気清浄ユニット６にて埃を捕集し清浄された空気が回転する複数の羽根４によって送風することが出来る。
【００２９】
また、送風部１１であるファン１５は、空気濾過部１０の上面から下面方向へ送風する。これにより、モータ部３のロータ３ａに接続された羽根４によって発生する風の流れに逆流することなく送風することが出来る。
【００３０】
また、送風部１１は、空気濾過部１０の下方、つまり空気の流れにおける下流側に設けられている。これにより、空気濾過部１０によって清浄された空気を送風するため、送風部１１への埃の付着を防ぐことが出来る。
【００３１】
また、送風部１１と空気濾過部１０は、モータ部３の上方に設けられている。言い換えると、送風部１１と空気濾過部１０は、モータ部３のロータ３ａに接続された羽根４よりも上方に設けられている。これにより、羽根４より下方へ送風される空気が、直接送風部１１と空気濾過部１０に当たらないので、羽根４からの送風を妨げることが無い。また、羽根４より下方へ送風された空気の一部は、部屋の床と、壁と、天井とに順次沿って流れ、空気清浄ユニット６の上方へ流れる。この空気が、再び空気濾過部１０を通るので、部屋全体の空気の埃を効率よく、空気清浄ユニット６によって捕集できる。
【００３２】
また、筒体２０と、ギア１８と、連動軸１７とが、変速機の役目を成している。ギア１８の歯１８ａの数は、筒体２０内面の歯２０ａの数より小さく、連動軸１７の歯１７ａの数は、ギア１８の歯１８ａの数より小さい。これにより、筒体２０の回転数より、連動軸１７の回転数が大きくなる。言い換えると、ファン１５の回転数は、羽根４の回転数より大きくなる。これにより、ファン１５の静圧を上げることができるので、空気濾過部１０を通過する空気の風量が増加する。
【産業上の利用可能性】
【００３３】
本発明に係る加湿装置は、家庭用や事務所用などに使用されるシーリングファンとして有用である。
【符号の説明】
【００３４】
１    シーリングファン
２    連結部
３    モータ部
３ａ    ロータ
４    羽根
５    制御部ユニット
６    空気清浄ユニット
７    連動機構
８    制御基板部
９    制御カバー
１０    空気濾過部
１１    送風部
１２    濾材
１３    ケース
１４    ケーシング
１５    ファン
１６    回転体
１７    連動軸
１７ａ    歯
１８    ギア
１８ａ    歯
１９    連結棒
２０    筒体
２０ａ    歯
【図１】
2019132179.tif 000003
【図２】
2019132179.tif 000004
【図３】
2019132179.tif 000005